(57)【要約】【課題】ユーザが音声通話を実行できるのかどうか判断できないため、不都合が生じるという課題を解決する無線通信機器及び無線通信制御方法を提供すること。【解決手段】携帯電話機１は、表示部４０と、通信部２０と、通信部２０によって第１の通信システムに待ち受けている状態において、３ＧＰＰに規定されるＣＳ  Ｆａｌｌｂａｃｋによって第１の通信システムから第２の通信システムに切り替えられると、第２の通信システムの電波状況を表示する制御部１０と、を備える。【選択図】図１
2014093613.tif 000002
【特許請求の範囲】
【請求項１】
表示部と、
通信部と、
前記通信部によって第１の通信システムに待ち受けている状態において、３ＧＰＰに規定されるＣＳ  Ｆａｌｌｂａｃｋによって前記第１の通信システムから第２の通信システムに切り替えられると、前記第２の通信システムの電波状況を表示する制御部と、を備える無線通信機器。
【請求項２】
表示部と、通信部と、を備える無線通信機器の無線通信制御方法において、
第１の通信システムに待ち受けている状態において、３ＧＰＰに規定されるＣＳ  Ｆａｌｌｂａｃｋによって前記第１の通信システムから第２の通信システムに切り替えられると、前記第２の通信システムの電波状況を表示する無線通信制御方法。
【請求項３】
表示部と、
通信部と、
前記通信部によって第１の通信システムに待ち受けている状態において、３ＧＰＰに規定されるＣＳ  Ｆａｌｌｂａｃｋによって前記第１の通信システムから第２の通信システムに切り替えられ、当該切り替えられてから所定時間経過すると、前記第２の通信システムの電波状況を表示する制御部と、を備える無線通信機器。
【発明の詳細な説明】
【技術分野】
【０００１】
本発明は、通信システムを選択的に切り替える無線通信機器及び無線通信制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（以下、ＣＤＭＡ）に加えて、ＬＴＥ（Ｌｏｎｇ  Ｔｅｒｍ  Ｅｖｏｌｕｔｉｏｎ）方式の通信システム（以下、ＬＴＥ）が登場している。
【０００３】
また、ＬＴＥからＣＤＭＡに切り替えて音声通話を実行する機能として、３ＧＰＰ  ＴＳ  ２３．２７２に、ＣＳ  ｆａｌｌｂａｃｋが規定されている（例えば、非特許文献１参照）。
【先行技術文献】
【非特許文献】
【０００４】
【非特許文献１】３ＧＰＰ  ＴＳ  ２３．２７２  Ｖ１１．２．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１２−０９
【発明の概要】
【発明が解決しようとする課題】
【０００５】
ところで、ＬＴＥが圏外状態になり、ＣＤＭＡに切り替えられた場合、電波状況（以下、アンテナレベル）の表示のバタつきを抑えるため、ＬＴＥが圏外状態となってから所定時間以内はＬＴＥのアンテナレベルの表示を維持しつつ、所定時間経過したらＣＤＭＡのアンテナレベルの表示に切り替えるという機能が存在する。また、そのような機能を搭載した場合に、ＣＳ  ｆａｌｌｂａｃｋ（以下、ＣＳＦＢ）によってＬＴＥからＣＤＭＡに切り替えられた場合であっても、ＬＴＥを切断してから所定時間以内はＣＤＭＡのアンテナレベルの表示が行われない。しかし、それでは、ユーザが音声通話を実行することができるのかどうか判断できないため、不都合が生じるという課題が存在した。
【０００６】
本発明は、上記課題を解決することを目的とした。
【課題を解決するための手段】
【０００７】
本発明における第１の無線通信機器は、表示部と、通信部と、前記通信部によって第１の通信システムに待ち受けている状態において、３ＧＰＰに規定されるＣＳ  Ｆａｌｌｂａｃｋによって前記第１の通信システムから第２の通信システムに切り替えられると、前記第２の通信システムの電波状況を表示する制御部と、を備える。
【０００８】
本発明における第１の無線通信方法は、表示部と、通信部と、を備える無線通信機器の無線通信制御方法において、第１の通信システムに待ち受けている状態において、３ＧＰＰに規定されるＣＳ  Ｆａｌｌｂａｃｋによって前記第１の通信システムから第２の通信システムに切り替えられると、前記第２の通信システムの電波状況を表示する。
【０００９】
本発明における第２の無線通信機器は、表示部と、通信部と、前記通信部によって第１の通信システムに待ち受けている状態において、３ＧＰＰに規定されるＣＳ  Ｆａｌｌｂａｃｋによって前記第１の通信システムから第２の通信システムに切り替えられ、当該切り替えられてから所定時間経過すると、前記第２の通信システムの電波状況を表示する制御部と、を備える。
【発明の効果】
【００１０】
本発明によれば、ユーザの不都合が生じるという課題を解決することができる。
【図面の簡単な説明】
【００１１】
【図１】本発明の実施形態における携帯電話機１の機能を示すブロック図である。
【図２】本発明の第１の実施形態の処理を示すシーケンス図である。
【図３】本発明の第２の実施形態の処理を示すシーケンス図である。
【図４】本発明の第３の実施形態における音声発呼時の処理を示すシーケンス図である。
【図５】本発明の第３の実施形態における音声着呼時の処理を示すシーケンス図である。
【発明を実施するための形態】
【００１２】
以下、本発明の実施形態について説明する。なお、本実施形態では、無線通信機器の一例として携帯電話機１を説明する。なお、本発明の実施形態は、３ＧＰＰ  ＴＳ  ２３．２７２に規定されるＣＳ  ｆａｌｌｂａｃｋを実行するものである。
【００１３】
図１は、本発明の実施形態に係る携帯電話機１の機能を示すブロック図である。
【００１４】
携帯電話機１は、制御部１０と、通信部２０と、記憶部３０と、表示部４０と、操作部５０と、音声制御部６０と、を備えて構成される。
【００１５】
制御部１０は、携帯電話機１の全体を制御しており、例えば、通信部２０、表示部４０等の各部に対して所定の制御を行う。また、制御部１０は、操作部５０あるいは通信部２０等から入力を受けて、各種処理を実行する。そして、制御部１０は、処理実行の際には、記憶部３０を制御し、各種プログラム及びデータの読み出し、及びデータの書き込みを行う。制御部１０の詳細については、後述する。
【００１６】
通信部２０は、所定の使用周波数帯（例えば、２ＧＨｚ帯あるいは８００ＭＨｚ帯等）を用いて外部装置（各通信システムにおけるネットワークを構成する基地局等）と通信を行う。そして、通信部２０は、アンテナより受信した信号を復調処理し、処理後の信号を制御部１０に供給し、また、制御部１０から供給された信号を変調処理し、アンテナから外部装置に送信する。
【００１７】
ここで、通信部２０は、本実施形態においては、音声又はデータ通信用の通信システムであるＷ−ＣＤＭＡ、ＣＤＭＡ２０００１ｘ（以下、１ｘ）若しくはＧＳＭ、データ通信用の通信システムであるＣＤＭＡ２０００ １ｘＥＶ−ＤＯ（以下、ＥＶＤＯ）、主に高速データ通信に用いられる通信システムであるＬＴＥに対応しており、いずれの通信システムでも通信可能である。通信部２０は、制御部１０からの指令に基づいて、複数の通信システムを選択的に切り替えて、基地局と通信を行う。なお、携帯電話機１は、データ通信時にはＬＴＥ（第１の通信システム）での通信を優先し、音声通話あるいはＳＭＳの送受信時には、１ｘ（第２の通信システム）での通信へ切り替えるものとする。なお、音声通話あるいはＳＭＳの送受信時には、１ｘでなくとも、Ｗ−ＣＤＭＡ、ＧＳＭを用いてもよい。
【００１８】
記憶部３０は、例えば、ワーキングメモリを含み、制御部１０による演算処理に利用される。また、本実施形態に係る各種プログラム等を記憶する。
【００１９】
記憶部３０は、複数ユーザのアドレス（電話番号やメールアドレス等）を記憶する。制御部１０は、後述の操作部５０により記憶部３０に記憶された複数のアドレスのうちいずれかのアドレスが選択され、音声発呼（音声呼発信）指示の操作が行われた場合には、通信部２０に対して音声発呼指示を送信し、当該指示を受けた通信部２０は、音声呼を、基地局を介して当該選択されたアドレスに対応する機器に送信する。
【００２０】
表示部４０は、例えば、液晶ディスプレイ、有機ＥＬ（Ｅｌｅｃｔｒｏ  ｌｕｍｉｎｅｓｃｅｎｃｅ）ディスプレイ等である。表示部４０は、制御部１０からの指示に応じて表示を行う。
【００２１】
操作部５０は、例えば、ボタン、キーボード、タッチセンサ等で構成される。操作部５０によって操作されると、当該操作の結果が制御部１０に入力される。当該入力を受けた制御部１０は、当該入力に応じた制御を実行する。
【００２２】
音声制御部６０は、制御部１０の制御に従って、通信部２０から供給された信号に対して所定の音声処理を行い、処理後の信号をレシーバ（図示せず）に出力する。レシーバは、音声制御部６０から供給された信号を外部に出力する。なお、この信号は、レシーバに代えて、又はレシーバと共に、スピーカ（図示せず）から出力されるとしてもよい。
【００２３】
また、音声制御部６０は、制御部１０の制御に従って、マイク（図示せず）から入力された信号を処理し、処理後の信号を通信部２０に出力する。通信部２０は、音声制御部６０から供給された信号に所定の処理を行い、処理後の信号をアンテナより出力する。
【００２４】
制御部１０は、通信制御部１１と、アンテナレベル制御部１２とを含んで構成され、通信制御部１１は、主に通信部２０における外部装置との通信を制御し、アンテナレベル制御部１２は、主に表示部４０におけるアンテナレベルの表示を制御する。
【００２５】
アンテナレベル制御部１２は、通信部２０に対してアンテナレベルの情報の取得要求を行い、通信部２０からアンテナレベルの情報（例えば、各通信システムのＲＳＳＩ等）を取得し、当該取得したアンテナレベルの情報に対応したアンテナレベルの表示（ピクト表示）を表示部４０に行わせる。
【００２６】
ここで、アンテナレベルの表示とは、例えば、待ち受けている通信システムの名称又は略称（例えば、ＬＴＥ、１ｘ、ＥＶＤＯ、ＧＳＭ等）の表示と、待ち受けている通信システムのアンテナレベルの表示（３〜４本程度のバーによる表示であって、ＲＳＳＩが大きいほどバーの本数が多く表示される）を指す。
【００２７】
また、アンテナレベル制御部１２は、定期的にアンテナレベルの情報の取得要求を行い、当該取得要求に応じて取得したアンテナレベルの情報に応じてアンテナレベルの表示を更新するよう制御する。
【００２８】
また、アンテナレベル制御部１２は、通信部２０から取得するアンテナレベルの情報等から通信部２０が待ち受けている通信システムを判断する。
【００２９】
アンテナレベル制御部１２は、ＣＳＦＢの実行中であるか否かを判断する。ここで、ＣＳＦＢ中であるか否かは、（１）ＬＴＥに待ち受け中であって、音声呼がある（発呼中、着呼中、通話中である）場合、又は（２）ＬＴＥに待ち受け中であって、通信部２０から取得したアンテナレベルの情報に１ｘのアンテナレベルの情報が含まれる場合、のいずれかに該当する場合には、ＣＳＦＢ中であると判定する。ここで、ＬＴＥに待ち受け中とは、例えば、ＬＴＥの基地局から送信される信号を所定時間間隔で受信している状態を指す。
【００３０】
通信部２０は、ＬＴＥのＲＳＳＩが所定閾値以下、又はＬＴＥによる通信を停止した等により、ＬＴＥが圏外となったことを検出した場合には、ＬＴＥ圏外タイマを開始し、ＬＴＥ圏外タイマが満了した場合には、ＬＴＥが圏外となったことをアンテナレベル制御部１２に通知する。当該通知を受けたアンテナレベル制御部１２は、１ｘ、ＥＶＤＯ等ＬＴＥ以外の通信システムのアンテナレベルの表示を行う。
【００３１】
ここで、通信部２０は、通信制御部１１から音声発呼指示を受けた場合、又は音声着呼（音声呼着信）し、当該着呼の通知を通信制御部１１に行い、その結果としてＬＴＥ圏外タイマの変更の要求であるタイマ変更要求を受けた場合、ＬＴＥ圏外タイマを通常設定されている所定時間よりも短い１秒間に変更する。なお、ここで変更する時間は１秒間には限られず、所定時間より短い他の時間であってもよい。また、通信部２０は、音声着呼した場合に、そのことを契機として、通信制御部１１からタイマ変更要求を受けずとも、ＬＴＥ圏外タイマを通常設定されている所定時間よりも短い１秒間に変更してもよい。
＜第１実施形態＞
図２に基づいて、第１実施形態について説明する。
【００３２】
アンテナレベル制御部１２は、通信部２０からアンテナレベルの取得を開始する（ステップＳ１）。
【００３３】
次に、アンテナレベル制御部１２は、通信部２０がＬＴＥに待ち受け中か否かを判断し（ステップＳ２）、ＬＴＥに待ち受け中であると判断した場合（ステップＳ２：ＹＥＳ）には、ステップＳ３へ移り、ＬＴＥに待ち受け中ではないと判断した場合（ステップＳ２：ＮＯ）には、ステップＳ６へ移る。
【００３４】
ステップＳ３へ移った場合、アンテナレベル制御部１２は、ＣＳＦＢの実行中か否かを判断し（ステップＳ３）、ＣＳＦＢの実行中であると判断した場合（ステップＳ３：ＹＥＳ）には、ステップＳ４へ移り、ＣＳＦＢの実行中ではないと判断した場合（ステップＳ３：ＮＯ）には、ステップＳ５へ移る。
【００３５】
ステップＳ４へ移った場合、アンテナレベル制御部１２は、１ｘのアンテナレベルを表示し（ステップＳ４）、ステップＳ５へ移った場合、アンテナレベル制御部１２は、ＬＴＥのアンテナレベルを表示する（ステップＳ５）。
【００３６】
ステップＳ６へ移った場合、アンテナレベル制御部１０は、ＬＴＥ以外の通信システムのアンテナレベル、つまり、現在待ち受けている通信システムのアンテナレベルを表示するよう制御する（ステップＳ６）。なお、アンテナレベル制御部１２は、通信部２０がいずれの通信システムにも待ち受けていない場合には、圏外表示を行うよう制御する。
【００３７】
また、ステップＳ３におけるＣＳＦＢ中であるか否かについて、例えば、（１）音声呼がある（発呼中、着呼中、通話中である）場合、（２）通信部２０から取得したアンテナレベルの情報に１ｘのアンテナレベルの情報が含まれる場合、のいずれかに該当する場合には、ＣＳＦＢ中であると判定する。
【００３８】
本実施形態によれば、ＣＳＦＢによって１ｘに切り替えるとすぐに１ｘのアンテナレベルの表示が行われるため、ユーザが現在、１ｘのエリアにいるのかどうか把握することができ、音声通話を実行することができるか否かについて判断することができる。
＜第２実施形態＞
図３に基づいて、第２実施形態について説明する。
【００３９】
アンテナレベル制御部１２は、通信部２０からアンテナレベルの取得を開始する（ステップＳ１１）。次に、アンテナレベル制御部１２は、音声通話中であるか否かを判定し（ステップＳ１２）、音声通話中であると判定した場合（ステップＳ１２：ＹＥＳ）には、１ｘのアンテナレベルを表示するよう制御する（ステップＳ１６）。なお、アンテナレベル制御部１２は、音声通話中であるか否かについて、音声制御部６０における音声処理に関する情報を取得することによって判定してもよい。
【００４０】
アンテナレベル制御部１２は、ステップＳ１２において、音声通話中でないと判定した場合（ステップＳ１２：ＮＯ）には、ＬＴＥに待ち受け中か否かを判定する（ステップＳ１３）。ＬＴＥに待ち受け中と判定された場合（ステップＳ１３：ＹＥＳ）には、アンテナレベル制御部１２は、ＬＴＥのアンテナレベルを表示するよう制御する（ステップＳ１４）。また、アンテナレベル制御部１２は、ＬＴＥに待ち受け中ではない、すなわち１ｘ、ＥＶＤＯ、ＧＳＭに待ち受けていると判定された場合（ステップＳ１３：ＮＯ）には、ＬＴＥ以外のアンテナレベル、すなわち、現在待ち受けている通信システムのアンテナレベルを表示するよう制御する（ステップＳ１５）。なお、アンテナレベル制御部１２は、いずれの通信システムにも待ち受けていない場合には、圏外表示を行うよう制御する。
【００４１】
本実施形態によって、音声通話時には常に１ｘのアンテナレベルが表示されることとなり、音声通話時に、現在、１ｘのエリアにいるのかどうかを把握することができるようになり、音声通話を実行できるのかどうか判断することができる。
＜第３実施形態＞
図４及び図５に基づいて、第３実施形態について説明する。
【００４２】
まず、図４に基づいて、音声発呼時における処理を説明する。
【００４３】
通信部２０がＬＴＥに待ち受けている状態において、アンテナレベル制御部１２は、通信部２０からＬＴＥのアンテナレベルの情報を取得し、ＬＴＥに待ち受け中であると認識し、表示部４０に対して、ＬＴＥのアンテナレベルの表示を指示する。
【００４４】
通信制御部１１は、操作部５０の操作等に起因して発呼指示を通信部２０に対して行う（ステップＳ２１）。通信部２０は、通信制御部１１からの発呼指示を受けて、ＬＴＥ圏外タイマを１秒に変更する（ステップＳ２２）と共に、ＣＳＦＢを実行する（ステップＳ２３）。通信部２０は、ＣＳＦＢを実行することによりＬＴＥから１ｘに切り替えると、ＬＴＥ圏外タイマを開始する。また、１ｘに切り替えた後に音声呼をネットワーク（１ｘネットワーク）に対して送信する（ステップＳ２４）。
【００４５】
次に、通信部２０は、ＬＴＥ圏外タイマが満了したか否かを判定し（ステップＳ２５）、ＬＴＥ圏外タイマが満了したと判定すると（ステップＳ２５：ＹＥＳ）、アンテナレベル表示制御部に対して、ＬＴＥが圏外となり、１ｘに待ち受けたことを通知する（ステップＳ２６）。その通知を受けて、アンテナレベル制御部１２は、１ｘ待ち受けたことを認識し、１ｘのアンテナレベルを表示部４０に表示させるように制御する（ステップＳ２７）。
【００４６】
次に、図５に基づいて、音声着呼時における処理を説明する。
【００４７】
まず、通信部２０がＬＴＥに待ち受けている状態において、アンテナレベル制御部１２は、通信部２０からアンテナレベルの情報を取得し、ＬＴＥに待ち受け中と認識し、表示部４０に対して、取得したアンテナレベルの情報に対応するＬＴＥのアンテナレベルの表示を指示する。
【００４８】
通信部２０は、ネットワーク（ＬＴＥネットワーク）から基地局を介して音声着呼すると（又はＣＳｐａｇｉｎｇ ｒｅｑｕｅｓｔを着信すると）（ステップＳ３１）、ＣＳＦＢを実行する（ステップＳ３２）。その後、通信部２０は、通信制御部１１に対して、音声着呼したことを通知するために着呼通知を行い（ステップＳ３３）、着呼通知を受けた通信制御部１１は、ＬＴＥ圏外タイマの変更を要求するためのタイマ変更要求を通信部２０に対して送信する（ステップＳ３４）。
【００４９】
タイマ変更要求を受信した通信部２０は、ＬＴＥ圏外タイマを１秒に変更し（ステップＳ３５）、ＬＴＥ圏外タイマを開始する。通信部２０は、ＬＴＥ圏外タイマが満了したか否かを判定し（ステップＳ３６）、ＬＴＥ圏外タイマが満了したと判定すると、ＬＴＥが圏外となり、１ｘに待ち受けたことをアンテナレベル制御部１２に通知する（ステップＳ３７）。当該通知を受けて、アンテナレベル制御部１２は、１ｘに待ち受けていることを認識し、１ｘのアンテナレベルの表示を行う（ステップＳ３８）。なお、ステップＳ３７において、ＬＴＥが圏外となり、１ｘに待ち受けたことを通知する際に、直近に取得したアンテナレベルの情報も併せてアンテナレベル制御部１２に通知してもよい。
【００５０】
本実施形態によって、音声発呼又は音声着呼時には、通常設定されているＬＴＥ圏外タイマの時間が短く変更され、１ｘのアンテナレベルが通常時よりも早く表示されるようになるため、ユーザが１ｘのアンテナレベルの表示を確認することが可能となり、音声通話を実現できるのかどうか判断することができる。
【００５１】
なお、第１実施形態から第３実施形態では、ＣＳＦＢによって切り替える通信システムを１ｘとして説明したが、これに限られず、Ｗ−ＣＤＭＡ、ＧＳＭ等であってもよい。
【００５２】
また、本発明に係る無線通信機器は、携帯電話機１には限られない。本発明は、ＰＨＳ（登録商標；ＰｅｒｓｏｎａｌＨａｎｄｙ ｐｈｏｎｅ Ｓｙｓｔｅｍ）、タブレット機器、ゲーム機、ナビゲーション装置、パーソナルコンピュータ、通信機能に特化した通信専用モジュール等、様々な装置に適用可能である。
【符号の説明】
【００５３】
１  携帯電話機（無線通信機器）
１０  制御部
１１  通信制御部
１２  アンテナレベル制御部
２０  通信部
３０  記憶部
４０  表示部
５０  操作部
６０  音声制御部
【図１】
2014093613.tif 000003
【図２】
2014093613.tif 000004
【図３】
2014093613.tif 000005
【図４】
2014093613.tif 000006
【図５】
2014093613.tif 000007